(57)【要約】【課題】上皿からの球抜きを簡便に行えるパチンコ遊技機を提供する。【解決手段】発射レバー４４の可動領域に、打圧強度設定回動領域と、休止位置と、球抜位置とを設定し、球抜部材３３を位置変換させる球抜駆動部材を、ソレノイド等の電気的駆動装置で構成すると共に、駆動制御手段を、発射レバー４４の球抜位置で切換作動し、該切換作動により、電気的駆動装置を駆動し、球抜部材を開放位置に変換駆動する球抜制御スイッチ６７で構成した。【選択図】　図１４
2004089587.tif 000002
【特許請求の範囲】
【請求項１】
遊技機前面に突出するハンドルベースと、該ハンドルベースに回動可能に保持され、その回動角度により遊技球の打圧強度を設定する発射レバーとを具備する発射ハンドルと、遊技機前面下部に配設され、内部に遊技球を貯留する上皿及び下皿と、上皿に貯留した遊技球を下皿へと案内する球抜通路と、該球抜通路への遊技球の流入を可能とする開放位置と不可能とする定常位置とに位置変換可能に配設される球抜部材とを備えたパチンコ遊技機において、
球抜部材を位置変換させる球抜駆動部材と、発射レバーの操作により、球抜駆動部材を駆動制御する駆動制御手段とを備えたことを特徴とするパチンコ遊技機。
【請求項２】
発射レバーの回動角度位置に、打圧強度設定回動領域と、休止位置と、球抜位置とを設定し、
球抜部材を位置変換させる球抜駆動部材を、ソレノイド等の電気的駆動装置で構成すると共に、駆動制御手段を、発射レバーの球抜位置で切換作動し、該切換作動により、電気的駆動装置を駆動し、球抜部材を開放位置に変換する球抜制御スイッチで構成したことを特徴とする請求項１記載のパチンコ遊技機。
【請求項３】
発射レバーの、休止位置を介して、打圧強度設定回動領域と、逆方向の回動領域に、球抜位置を設けたことを特徴とする請求項２記載のパチンコ遊技機。
【請求項４】
発射レバーを、付勢手段により保持される定常位置から、該付勢手段に抗して、前後いずれかの移動位置に移動可能とし、該移動位置でのみ、該発射レバーを球抜位置に回動可能とした発射ハンドルを備えたことを特徴とする請求項２又は請求項３に記載のパチンコ遊技機。
【請求項５】
発射ハンドルの表面に、球抜操作態様を示す操作表示を備えたことを特徴とする請求項１乃至請求項４のいずれかに記載のパチンコ遊技機。
【発明の詳細な説明】
【０００１】
【発明の属する技術分野】
本発明は、前面下部に、上皿と下皿を備えたパチンコ遊技機にあって、上皿に貯留した遊技球を下皿へと排出する球抜機構の操作手段に関するものである。
【０００２】
【従来の技術】
一般的に、パチンコ遊技機には、遊技盤面上へ遊技球を発射するための発射装置が設けられている。この発射装置は、遊技機裏に配設され、遊技球を打圧する打圧装置と、遊技機前面に突設され、該打圧装置による遊技球の打圧強度の調節部位をなす発射ハンドルとで構成される。
【０００３】
前記発射ハンドルには、前部と基部との間に、回動可能な環状の発射レバーが配設されている。そして、該発射レバーとしては、その回動角度位置に遊技球の発射が停止される休止位置と、休止位置を基端とし、休止位置からの回動角度により遊技球の打圧強度が設定される打圧強度設定回動領域とを備えたものが知られている（例えば特許文献１参照。）。
【０００４】
また、従来のパチンコ遊技機は、遊技機前面に配設され、打圧装置に遊技球を供給する上皿と、上皿に貯留した遊技球を、上皿の下方に配設される下皿へと排出する球抜機構とを具備する。かかる球抜機構としては、上皿に貯留した遊技球を下皿へと案内する球抜通路と、該球抜通路への遊技球の流入を可能とする開放位置と不可能とする定常位置とに位置変換可能に配設される球抜部材と、該球抜部材の位置変換操作を行う球抜操作部材を備えたものが知られている（例えば、特許文献２参照。）。
【０００５】
【特許文献１】
特開平１１−１９２３４６号公報
【特許文献２】
特開平１０−０１５１８９号公報
【０００６】
【発明が解決しようとする課題】
ところで、上述の球抜機構においては、球抜部材を位置変換させる球抜操作部材が単独で設けられている。このため、遊技者は、遊技終了時に、上皿の遊技球を球抜きするのに、発射レバーを保持していた手を、わざわざ球抜部材へ移動させる必要があり、その操作は手数がかかり、煩わしいものとなっている。
【０００７】
本発明は、かかる問題の解決を試みたものであって、上皿から下皿への球抜きを迅速かつ容易に実行できるパチンコ遊技機を提供することを目的とする。
【０００８】
【課題を解決するための手段】
本発明は、遊技機前面に突出するハンドルベースと、該ハンドルベースに回動可能に保持され、その回動角度により遊技球の打圧強度を設定する発射レバーとを具備する発射ハンドルと、遊技機前面下部に配設され、内部に遊技球を貯留する上皿及び下皿と、上皿に貯留した遊技球を下皿へと案内する球抜通路と、該球抜通路への遊技球の流入を可能とする開放位置と不可能とする定常位置とに位置変換可能に配設される球抜部材とを備えたパチンコ遊技機において、球抜部材を位置変換させる球抜駆動部材と、発射レバーの操作により、球抜駆動部材を駆動制御する駆動制御手段とを備えたことを特徴とするパチンコ遊技機である（請求項１）。
【０００９】
かかる構成では、遊技球の打圧強度を設定する発射レバーの操作により、上皿から下皿への球抜操作を行うようにしたものである。これにより、遊技者は発射ハンドルから手を離すことなく球抜操作を行うことができ、上皿の遊技球を、迅速かつ容易に下皿へ排出可能となる。
【００１０】
ここで、発射レバーの回動角度位置に、打圧強度設定回動領域と、休止位置と、球抜位置とを設定し、球抜部材を位置変換させる球抜駆動部材を、ソレノイド等の電気的駆動装置で構成すると共に、駆動制御手段を、発射レバーの球抜位置で切換作動し、該切換作動により、電気的駆動装置を駆動し、球抜部材を開放位置に変換する球抜制御スイッチで構成することが提案される（請求項２）。かかる構成では、打圧強度設定回動領域と異なる回動角度位置に、球抜位置を設けることにより、発射レバーの回動操作で、遊技球の打圧強度設定と、球抜操作とを実行可能としたものであり、発射レバーの該球抜位置への移動を、スイッチを用いて検出すると共に、該スイッチによる検出信号を契機として、電気的駆動部材により、球抜部材を開放位置へ変換することで、上皿の遊技球を球抜きするようにしたものである。
【００１１】
そして、発射レバーの、休止位置を介して、打圧強度設定回動領域と、逆方向の回動領域に、球抜位置を設けてもよい（請求項３）。かかる構成では、発射レバーを、休止位置から、打圧強度設定回動領域と逆方向に回動操作することにより、上皿から下皿への球抜きを行うようにしたものである。
【００１２】
また、発射レバーを、付勢手段により保持される定常位置から、該付勢手段に抗して、前後いずれかの移動位置に移動可能とし、該移動位置でのみ、該発射レバーを球抜位置に回動可能とした発射ハンドルを備えた構成も考えられる（請求項４）。かかる構成では、発射レバーを前後の定常位置と移動位置とに移動可能とし、遊技者が、上皿から球抜きを行う場合には、該付勢手段に抗して、発射レバーを定常位置から移動位置へと前後移動させてから、球抜位置へと回動移動するようにしたものである。このように、定常位置では、直接、球抜位置へ回動不可能とすることにより、誤操作等により、遊技中に、上皿の遊技球が球抜きされてしまうのを防止できる。
【００１３】
さらに、発射ハンドルの表面に、球抜操作態様を示す操作表示を備えてもよい（請求項５）。かかる構成では、該操作表示により、発射レバーの球抜位置や、球抜位置へ回動方向等を遊技者に報知することにより、遊技者が、上皿から下皿への球抜きを、確実に実行可能としたものである。
【００１４】
【発明の実施の形態】
図１はパチンコ遊技機１の正面図である。このパチンコ遊技機１の外枠１０には、開閉自在な前枠２が取付けられ、この前枠２の上部後方には遊技盤３が配設されている。この遊技盤３面中央の遊技領域１１には、図柄表示装置６や大入賞口８等が設けられる。
【００１５】
また、この遊技盤３の右下方から遊技球が発射されると、この遊技球は案内レール１２の案内作用により遊技領域１１へ送り出される。そして、この遊技領域１１に設けられた特別始動領域７に遊技球が入ると、図柄表示装置６が駆動する。さらに、連続してこの特別始動領域７に遊技球が通過すると、所定個数を限度として入賞記憶が可能となり、この入賞記憶の消化によっても、図柄表示装置６が駆動する。そして、この図柄表示装置６で表示された図柄が所定の組合せとなると、大入賞口８が開放して、大当り作動が発生することとなる。
【００１６】
そして、前記前枠２の下方には開閉可能な上皿パネル９に上皿４が取付けられ、さらにその下方には下皿５が取付けられている。そして、この下皿５の右側方には、発射装置の一部を構成する発射ハンドル４０が遊技機前面に突出して設けられている。
【００１７】
上皿パネル９前面に配設される前記上皿４は、図２に示すように、球出口１３と、発射球排出口１４とに連通している。そして、該球出口１３からは、遊技機裏の賞球払出装置（図示せず）から払出された遊技球が流入し、一方の発射球排出口１４からは、上皿４に貯留された遊技球が上皿パネル９の後方へと排出される。
【００１８】
一方、上皿４の下方に配設される下皿５は、図３に示すように、後面を球出口１５と連通し、該球出口１５からは、上皿４満杯時に賞球払出装置から払出された遊技球等が下皿５内へ流入する。また、下皿５の底面には、開閉可能な排出孔１６が形成されている。該排出孔１６は常時は閉鎖状態となっているが、下皿５の下方に配設される開閉レバー１７（図１参照）をスライドすることにより、排出孔１６を開放し、下皿５の遊技球を、機外へ排出可能となっている。
【００１９】
次に、発射装置について詳細に説明する。
発射装置は、図４に示すように、遊技機裏に配設され、遊技球を打圧発射する打圧装置４５と、該打圧装置４５の打圧強度の調節部位をなす前記発射ハンドル４０とで構成される。そして、発射ハンドル４０は、遊技機前面に突出してその基部側を被覆するハンドルベース４１と、前部側を被覆するハンドルカバー４２との間に、回動可能の発射レバー４４等を介装することによりなる。かかる発射ハンドル４０は、本発明の要部をなすものであり、詳細については後述する。
【００２０】
一方の打圧装置４５は、図５に示すように、発射駆動モータ２０、発射制御基板５０、発射鎚５１等を具備し、遊技機裏に配設される支持基板４８からなる。ここで、発射鎚５１は、左右方向に回動可能に軸支され、発射コイルバネ２１とこれと接続されたワイヤー２１ａを介して遊技機の中央方向へ付勢されており、下端をストッパー２２に当接させることにより、上端側の打圧位置１９を規定するようにしている。そして、発射鎚５１には、軸支部から発射駆動モータ２０に向けて突成した支持アーム２３にカムフォロア２４が取付けられており、また、発射駆動モータ２０の回転軸２５には、その回転により前記カムフォロア２４と嵌合可能なウィングカム２６が取付けられている。
【００２１】
所定条件が充足されて発射駆動モータ２０が駆動すると、ウィングカム２６が回転する。そして、このウィングカム２６がカムフォロア２４と嵌合し、発射鎚５１を発射コイルバネ２１の付勢に抗して遊技機の外側方向に傾動させる。ウィングカム２６がさらに回転してカムフォロア２４との嵌合が外れて発射鎚５１が解放状態となると、発射鎚５１がこの傾動位置から発射コイルバネ２１の付勢力よって打圧回動する解放位置に変換される。すなわち、発射鎚５１は打圧位置１９まで瞬間的に引き戻される。この変換作動の繰り返しにより、発射鎚５１が一定間隔で連続的に打圧作動を生じるようになっている。このように打圧装置４５は、遊技球を打圧して、打圧位置１９から発射レール２８の案内作用によって遊技球を遊技盤３の遊技領域１１へ打ち出すようにしている。
【００２２】
また、図５、図６に示すように、上皿パネル９の裏面側には、整流器２７が装着されている。そして、該整流器２７には、発射レール２８を臨む位置に、連通孔３０が形成されており、発射駆動モータ２０が駆動すると、その内部の球送り部材２９（図７参照）の作動により、該連通孔３０から遊技球が一個づつ供給される。そして、発射鎚５１がこの遊技球を打圧すると、遊技球が発射される。また、これに続いて連通孔３０から、再び打圧位置１９に遊技球が供給される。このように、発射駆動モータ２０の駆動と同期して、打圧位置１９に遊技球が、順次約０．６秒の間隔を置きながら間欠的に送りこまれる。なお、発射制御基板５０、発射駆動モータ２０、ウィングカム２６、及びカムフォロア２４により間欠回動装置が構成される。
【００２３】
次に球抜機構について説明する。
図７に示すように、前記整流器２７は、上皿４の発射球排出口１４と、連通孔３０とに連通する発射球供給通路３２を内部に備える。そして、該発射球供給通路３２と、発射球排出口１４との接続部の下面には、下皿５の球出口１５と連通する球抜通路３１の入口が形成される。さらに、整流器２７の側方には、プランジャ３５先端に球抜部材３３を嵌着するソレノイド３４が配設される。
【００２４】
球抜駆動部材を構成する前記ソレノイド３４は、プランジャ３５を球抜通路３１の入口方向に向けて配設されており、該プランジャ３５の進退により、球抜部材３３を、球抜通路３１の入口を遮蔽する定常位置（図７イ参照）と、開放する開放位置（図７ロ参照）とに位置変換するようになっている。また、ソレノイド３４は、発射制御基板５０と電気的に接続しており、定常状態では、プランジャ３５を外部に突出しているが、該発射制御基板５０から電圧印加されると、ソレノイド３４内のコイルが励磁し、プランジャ３５が退避するようになっている。なお、後述するように、発射制御基板５０は、球抜駆動部材であるソレノイド３４の駆動制御する駆動制御手段の一部を構成するものである。
【００２５】
かかる構成では、発射制御基板５０からの入力がなく、ソレノイド３４が停止した状態では、球抜通路３１の入口は、球抜部材３３により、遮蔽されている。この状態においては、発射球供給通路３２へと流入するため、上皿４の遊技球は打圧位置１９へと供給されることとなる。そして、発射制御基板５０により、ソレノイド３４が通電すると、図７ロに示すようにプランジャが退避し、球抜部材３３が開放位置へと変換され、球抜通路３１が開放される。この状態においては、上皿４の遊技球は、球抜通路３１を介して順次下皿５へと排出されることとなる。
【００２６】
次に、本発明の要部である発射ハンドル４０について説明する。
本実施例の発射ハンドル４０においては、発射レバー４４の回動角度位置に、遊技球の発射を停止する休止位置を設定すると共に、休止位置の右回動方向に、遊技球の打圧強度を設定する打圧強度設定回動領域を、休止位置の左回動方向に上皿４の遊技球を球抜きする球抜位置とが設けられている。
【００２７】
図８、図９に示すように、本実施例の発射ハンドル４０は、該発射ハンドル４０の基部を構成するハンドルベース４１の前面に、発射レバー４４が、回転軸４６により軸支されることにより、回動可能に保持されている。また、発射レバー４４は、該回転軸４６に対して前後に摺動可能となっており、付勢手段により保持される遊技機側の定常位置と、球抜位置へ回動可能となる遊技者側の移動位置とに位置変換可能となっている（図１２参照）。
【００２８】
そして、ハンドルベース４１には、該発射レバー４４を貫通し、前方に突出する支持突起５５が形成されており、該支持突起５５の先端には、タッチセンサ４３が固定されている。該タッチセンサ４３は、遊技者の手の接触を検知するものであり、該タッチセンサ４３による接触検知信号は、発射制御基板５０へと伝達され、該接触検知信号の受信時のみでしか、発射駆動モータ２０は駆動しないようになっている。また、タッチセンサ４３の前面の外周部には、発射ハンドル４０の前面を被覆する、半球形のハンドルカバー４２が固着される。
【００２９】
さらに、タッチセンサ４３と発射レバー４４の間には、後面に４つのコイルバネ４７を備えた押圧環体４９が、その前面をタッチセンサ４３に固着することにより配設されている。該押圧環体４９は、発射レバー４４を定常位置へ付勢する付勢手段を構成するものであり、各コイルバネ４７の後端に配設される押圧片５２により、発射レバー４４の前面を押圧し、該発射レバー４４を遊技機側の定常位置へと付勢している。
【００３０】
また、図１０に示すように発射ハンドル４０の前面には、発射レバー４４の操作態様を遊技者に報知する、操作表示が設けられている。該操作表示は、ハンドルカバー４２の円周部に沿って設けられ、回動角度位置を示す、円弧状の固定表示部ｘと、指掛突部５６の前面に設けられ、発射レバーの回動角度に応じて、固定表示部ｘの異なる位置を指示する可動指示部ｙとで構成される。該固定表示部ｘには、発射レバー４４が各回動位置において、可動指示部ｙの指示する位置に、目盛が振られており、球抜位置に対応する、左端には、「球抜」と記された目盛が振られている。このように、操作表示により、遊技者は、球抜位置への回動方向を容易に理解でき、確実に球抜操作を行うことができる。
【００３１】
次に発射レバー４４の構成を詳細に説明する。
発射レバー４４は、図１１に示すように、外周面に、遊技者の指掛かりとなる大小の指掛突部５６を備える外周部５７と、中心に回転軸４６が嵌着される中心部５８とを、半径方向に配設された二つのフレーム５９により連結してなる。ここで、外周部５７には、後方に開口する環状の係合溝６０が形成されており、該係合溝６０には、ハンドルベース４１の前部に突設される円柱状の規制突起５３，５４（図９参照）の先端部が挿入される。また、該係合溝６０には、該係合溝６０を遮断するように二つの停止部材６１、６２が配設されており、発射レバー４４を左方向に回動していくと、停止部材６１が、規制突起５３と当接し、右方向に回動していくと、停止部材６２が、規制突起５４と当接するようになっている。このように、停止部材６１，６２と、規制突起５３，５４との当接位置を越えての回動を規制することで、発射レバー４４をの回動可能領域が規定されている。
【００３２】
そして、前記停止部材６１は、係合溝６０の後半分を遮断する後遮断部６１ａと、係合溝６０の前半分を遮断する前遮断部６１ｂとで構成される。該後遮断部６１ａは、球抜位置において、規制突起５３と当接するように配設されており、一方の、前遮断部６１ｂは、後遮断部６１ａより左回転方向に延出されており、休止位置において規制突起５３と当接するように配設される。そして、図１１イ、図１２イに示すように、発射レバー４４が遊技機側の定常位置にある場合には、規制突起５３の先端部は、係合溝６０の前面近くまで挿入されており、発射レバー４４を左回動していくと、休止位置において、前遮断部６１ｂが、規制突起５３と当接するため、発射レバー４４は休止位置から左方向へ回動不可能となっている。一方、図１１ロ、図１２ロに示すように、発射レバー４４が遊技者側の移動位置にある場合には、規制突起５３は、係合溝６０の開口部付近までしか挿入されず、かかる状態では発射レバー４４は、球抜位置において、後遮断部６１ａが、規制突起５３と当接するまで左回動させることが可能となる。なお、球抜位置においては、前遮断部６１ｂの後面が、規制突起５３の先端と当接することにより、発射レバー４４は遊技者側の移動位置に保持される。
【００３３】
次に、発射レバー４４の回動角度検知機構について説明する。
発射レバー４４の回動角度は、その中心部５８に嵌着され、発射レバー４４と一体となって回動する回転軸４６により、遊技機裏へと伝達される。そして、図１３に示すように、回転軸４６は、前枠２及び、支持基板４８を貫通し、その後端部を該支持基板４８の後面に突出させており、該後端部には、回転軸４６と一体的に回動するカム部材６３が軸支される。
【００３４】
前記カム部材６３は、回転軸４６に軸支される中心部の周りに、大小二つの扇状の押圧部６４、６５を備える。そして、カム部材６３の周囲には、発射駆動スイッチ６６と、球抜制御スイッチ６７との二つのマイクロスイッチが配設される。発射駆動スイッチ６６は、図１４ロに示すように、発射レバー４４が打圧強度設定回動領域に位置する場合に、押圧部６４により、そのレバーが押圧され、オン作動するよう配設されており、一方の球抜制御スイッチ６７は、図１４ハに示すように、発射レバー４４が球抜位置にある場合に押圧部６５によりそのレバーを押圧され、オン作動するように配設されている。また、押圧部６４の外縁には、前述のワイヤー２１ａの一端が固着されており、カム部材６３を介して、発射レバー４４を左回動方向に付勢すると共に、該発射レバー４４の回動角度に応じて発射コイルバネ２１の張力が変化させることにより、発射鎚５１の打圧強度を設定可能となっている。
【００３５】
そして、上述の発射駆動スイッチ６６及び球抜制御スイッチ６７は、カム部材６３の後方に配設される発射制御基板５０（図５参照）と電気的に接続されており、該発射制御基板５０には、各マイクロスイッチ６６，６７のオン作動に伴うオン信号が入力される。そして、発射制御基板５０は、タッチセンサ４３による接触検知信号及び、発射駆動スイッチ６６のオン信号等を条件として、発射駆動モータ２０を駆動させると共に、球抜制御スイッチ６７からオン信号を受信すると、該球抜制御スイッチ６７のオン信号が途絶えるか、３０秒が経過するまでソレノイド３４を通電し、上皿４の遊技球を下皿５へ球抜きする。
【００３６】
次に、かかる発射レバー４４の操作態様について説明する。
通常、遊技開始時には、発射レバー４４は休止位置に保持されている（図１４イ参照）。この状態にあっては、発射駆動スイッチ６６及び球抜制御スイッチ６７はオン作動しておらず、発射駆動モータ２０及びソレノイド３４は停止状態にあり、上皿４の遊技球は、打圧位置１９、下皿５のどちらにも排出されず、貯留状態にある。
【００３７】
ここで、遊技者が発射ハンドル４０を把持し、発射レバー４４を打圧強度設定回動領域へ回動させると（図１４ロ参照）、発射駆動スイッチ６６がオン作動し、発射駆動モータ２０が駆動し遊技球の打圧が開始され、上皿４の遊技球は、整流器２７を介して、打圧位置１９へと供給される。そして、遊技者は、打圧強度設定回動領域内で発射レバー４４を左右に回動し、発射コイルバネ２１の張力を調節することにより、遊技球を所望の打圧強度で発射することができる。かかる状態では、発射レバー４４は、押圧環体４９により定常位置に付勢されているため、遊技者が回動操作を誤って、発射レバー４４を球抜位置へ回動してしまうことがない。
【００３８】
そして、上皿４に遊技球が貯留した状態で遊技を終了する場合には、遊技者は、定常位置に付勢される発射レバー４４を手前に引き、移動位置へ変換してから、左方向の球抜位置へと回動すれば（図１４ハ参照）、球抜制御スイッチ６７がオン作動し、発射制御基板５０により、ソレノイド３４が駆動し、上皿４の遊技球が、下皿５へ球抜きされる。なお、かかる構成では、発射レバー４４は、発射コイルバネ２１の付勢力により、球抜位置に保持されると共に、発射制御基板５０により、球抜制御スイッチ６７のオン作動後、該球抜制御スイッチ６７がオフ作動するか、３０秒経過するまで、ソレノイド３４を駆動し、球抜通路３１を開放するようになっている。このため、遊技者は球抜き中に、発射レバー４４を保持する必要がなく、また、該発射レバー４４を球抜位置に据置いたまま、遊技を終了しても、新たに遊技が開始される時には、ソレノイド３４は停止し、球抜部材３３は定常位置に復帰しているため、上皿４に新たな遊技球を貯留することが可能となっている。
【００３９】
以上のように、発射レバー４４を、休止位置から打圧強度設定回動領域と逆方向への回動により上皿４からの球抜きを行うようにしたことで、遊技中には、休止位置の右方向の打圧強度設定回動領域で、遊技球の打圧強度を設定し、遊技の終了時には、打圧強度設定回動領域から発射レバー４４を左方向の球抜位置へと回動させるだけで、上皿から遊技球を抜き取ることができる。また、球抜操作において、付勢力に抗して、発射レバー４４を、手前に引いてから球抜位置へ回動させるようにしたことで、誤操作による球抜きを防止することが可能となる。
【００４０】
なお、上述の実施例においては、発射レバー４４の回動量に応じて引張られる発射コイルバネ２１により付勢された発射槌５１により遊技球を発射させる機械的な方式を採用しているが、本発明は、ソレノイドにより遊技球を発射させる電気的な方式にも適用することができる。
【発明の効果】
本発明は、球抜部材を位置変換させる球抜駆動部材と、発射レバーの操作により、球抜駆動部材を駆動制御する駆動制御手段とを備えたものであるから（請求項１）、遊技者は発射ハンドルから手を離すことなく球抜操作を行うことができ、上皿の遊技球を、迅速かつ簡便に球抜きすることが可能となる。
【００４１】
そして、発射レバーの回動角度位置に、打圧強度設定回動領域と、休止位置と、球抜位置とを設定し、球抜部材を位置変換させる球抜駆動部材を、ソレノイド等の電気的駆動装置で構成すると共に、駆動制御手段を、発射レバーの球抜位置で切換作動し、該切換作動により、電気的駆動装置を駆動し、球抜部材を開放位置に変換する球抜制御スイッチで構成することにより（請求項２）、発射レバーの回動操作で、遊技球の打圧強度設定と、上皿からの球抜きとを実行可能となる。
【００４２】
ここで、発射レバーの、休止位置を介して、打圧強度設定回動領域と、逆方向の回動領域に、球抜位置を設けた場合には（請求項３）、遊技終了時に、遊技球の打圧停止と、上皿からの球抜きを一連の動作で実行可能となり、球抜操作を円滑に行うことができる。
【００４３】
発射レバーを、付勢手段により保持される定常位置から、該付勢手段に抗して、前後いずれかの移動位置に移動可能とし、該移動位置でのみ、該発射レバーを球抜位置に回動可能とした発射ハンドルを備えた場合には（請求項４）、かかる操作では、定常位置において、球抜位置へ回動不可能としたため、遊技中に、誤操作により、発射レバーを球抜位置に回動してしまうのを防止でき、発射レバーの操作を安定したものにできる。
【００４４】
さらに、発射ハンドルの表面に、球抜操作態様を示す操作表示を備えれば（請求項５）、遊技者は、上皿から下皿への球抜を明確に理解でき、確実かつ容易に、球抜操作を行うことが可能となる。
【図面の簡単な説明】
【図１】パチンコ遊技機１の正面図である。
【図２】上皿４及び上皿パネル９の上面図である。
【図３】下皿５を示す上面図である。
【図４】発射装置を示す分解斜視図である。
【図５】打圧装置４５の裏面図である。
【図６】上皿パネル９の裏面図である。
【図７】整流器２７及び球抜通路３１を示す、横断面図である。
【図８】発射ハンドル４０の分解斜視図である。
【図９】発射ハンドル４０の分解側面図である。
【図１０】固定表示部ｘ及び可動指示部ｙを示す、発射ハンドル４０の正面図である。
【図１１】発射レバー４４及び規制突起５３，５４を示す、部分断面斜視図であり、（イ）は発射レバー４４が定常位置にある状態を、（ロ）は発射レバー４４が移動位置にある状態を示す。
【図１２】発射ハンドル４０前部の縦断側面図である。（イ）は発射レバー４４が定常位置にある状態を、（ロ）は発射レバー４４が移動位置にある状態を示す。
【図１３】発射制御基板５０及び、発射駆動モータ２０を除去して示す、打圧装置４５の裏面図である。
【図１４】前枠２及び支持基盤４８を除去し、発射レバー４４の回動態様を示す裏面図であり、（イ）は発射レバー４４が休止位置にある状態を、（ロ）は発射レバー４４が打圧強度設定回動領域にある状態を、（ハ）は発射レバー４４が球抜位置にある状態を示す。
【符号の説明】
４　上皿
２０　発射駆動モータ
２１　発射コイルバネ
２１ａ　ワイヤー
２７　整流器
３１　球抜通路
３３　球抜部材
３４　ソレノイド
３５　プランジャ
４０　発射ハンドル
４４　発射レバー
４６　回転軸
５０　発射制御基板
５３，５４　規制突起
６１，６２　停止部材
６１ａ　後遮断部
６１ｂ　前遮断部
６３　カム部材
６６　発射駆動スイッチ
６７　球抜制御スイッチ
ｘ　固定表示部
ｙ　可動指示部
【図１】
2004089587.tif 000003
【図２】
2004089587.tif 000004
【図３】
2004089587.tif 000005
【図４】
2004089587.tif 000006
【図５】
2004089587.tif 000007
【図６】
2004089587.tif 000008
【図７】
2004089587.tif 000009
【図８】
2004089587.tif 000010
【図９】
2004089587.tif 000011
【図１０】
2004089587.tif 000012
【図１１】
2004089587.tif 000013
【図１２】
2004089587.tif 000014
【図１３】
2004089587.tif 000015
【図１４】
2004089587.tif 000016